(57)【要約】【課題】持ち運びできる情報端末によって、作業員の監視業務の負担を軽減できる監視装置を提供する。【解決手段】持ち運び可能な情報端末であって、電源設備に設けられたメータ及び識別標識を撮像する撮像部１１と、撮像部１１により撮像されたメータ３の指示値を読み取るメータ読取部１８と、撮像部１１により撮像された識別標識の識別情報を読み取る識別情報読取部１７と、指示値及び識別情報を紐付けた帳票を作成する帳票作成部１９と、帳票を記憶する記憶部１５と、帳票を表示する表示部１３とを有する。【選択図】図１
2018045655.tif 000002
【特許請求の範囲】
【請求項１】
持ち運び可能な情報端末であって、
電源設備に設けられたメータ及び識別標識を撮像する撮像部と、
前記撮像部により撮像されたメータの指示値を読み取るメータ読取部と、
前記撮像部により撮像された識別標識の識別情報を読み取る識別情報読取部と、
前記指示値及び前記識別情報を紐付けた帳票を作成する帳票作成部と、
前記帳票を記憶する記憶部と、
前記帳票を表示する表示部と、
を有することを特徴とする監視装置。
【請求項２】
前記メータはアナログメータであり、
前記メータ読取部は、
前記アナログメータのレンジを判定するレンジ判定部と、
前記アナログメータの指示針の角度を判定する角度判定部と、
前記レンジと前記指示針の角度とに基づいて、前記指示針が指す指示値を算出する算出部と、
を有することを特徴とする請求項１記載の監視装置。
【請求項３】
前記メータの過去の指示値を記憶する記憶部と、
前記記憶部に記憶された指示値と、前記撮像部により撮像されたメータの指示値とに基づいて、電力量を算出する電力量算出部と、
を有することを特徴とする請求項１又は請求項２記載の監視装置。
【請求項４】
前記撮像部により撮像された電源設備の状態を示す表示に基づいて、停止中を判定する停止判定部と、
前記停止判定部により停止中と判定された場合に、前記表示部に表示させる前記帳票の該当するメータの欄に、他の欄と区別した表示をさせる区別表示部と、
を有することを特徴とする請求項１乃至３のいずれかに記載の監視装置。
【請求項５】
前記指示値が、あらかじめ設定されたしきい値を逸脱しているか否かを判定する妥当性判定部と、
前記妥当性判定部により、しきい値を逸脱していると判定された場合に、警報を出力する警報出力部と、
を有することを特徴とする請求項１乃至４のいずれかに記載の監視装置。
【請求項６】
複数種類の識別情報を階層的に登録する登録部を有することを特徴とする請求項１乃至５のいずれかに記載の監視装置。
【請求項７】
あらかじめ登録された識別情報に基づいて、撮像部による撮像漏れを判定する漏れ判定部と
前記漏れ判定部により撮像漏れと判定されたメータを示す情報を表示する漏れ表示部と、
を有することを特徴とする請求項１乃至６のいずれかに記載の監視装置。
【発明の詳細な説明】
【技術分野】
【０００１】
本発明の実施形態は、電源設備の監視装置に関する。
【背景技術】
【０００２】
ビル等の建物に設置された電源設備を監視する監視システムは、電源設備と接続するリモートステーション盤、運用者が管理するためのマンマシンインタフェース、データサーバなど、大規模な設備の構築が必要となっていた。
【先行技術文献】
【特許文献】
【０００３】
【特許文献１】特開２０００−１８２０２１号公報
【発明の概要】
【発明が解決しようとする課題】
【０００４】
電源設備は、建物の運用にとって重要な設備である。しかし、中小規模の建物においては、大規模な監視システムの導入は、高額な投資が必要となるために、敬遠されがちであった。このように、監視システムを導入できない場合には、作業員が巡回することによって、監視盤のメータ値を記録するなどの業務が必要となり、人の労力を割かれることとなる。例えば、電力日報の作成などに、１時間に１度の電源設備の巡回を行い、メータ値の書き取りを行う必要があり、業務の負担となっていた。
【０００５】
本発明の実施形態の課題は、持ち運びできる情報端末によって、作業員の監視業務の負担を軽減できる監視装置を提供することにある。
【課題を解決するための手段】
【０００６】
実施形態の監視装置は、持ち運び可能な情報端末であって、電源設備に設けられたメータ及び識別標識を撮像する撮像部と、前記撮像部により撮像されたメータの指示値を読み取るメータ読取部と、前記撮像部により撮像された識別標識の識別情報を読み取る識別情報読取部と、前記指示値及び前記識別情報を紐付けた帳票を生成する帳票作成部と、前記帳票を記憶する記憶部と、前記帳票を表示する表示部と、を有する。
【図面の簡単な説明】
【０００７】
【図１】実施形態の監視盤及び監視装置を示す正面図
【図２】実施形態の監視装置を示すブロック図
【図３】実施形態の登録画面例を示す説明図
【図４】実施形態の監視処理の流れを示すフローチャート
【図５】実施形態の読み取り対象となるアナログメータを示す正面図
【図６】実施形態の読み取り対象となる電力量メータを示す正面図
【発明を実施するための形態】
【０００８】
本実施形態を、図面を参照して説明する。
［監視対象］
まず、本実施形態の監視対象となる電源設備として、監視盤Ｓを説明する。監視盤Ｓは、図１に示すように、筐体１、扉２、メータ３、ネームプレート４を有する。筐体１は、金属製の直方体形状の容器である。扉２は、筐体１の正面を開閉する部材である。筐体１の内部には、電力機器又は電力機器の状態を監視する装置が収容されている。電力機器は、例えば、開閉器、断路器、変圧器等の電力系統や受変電系統に設置された各種の機器である。電力機器の状態を監視する装置は、ＰＬＣ(プログラマブルコントローラ)、リレー、タイマ等の、電力機器の監視に必要な情報を取り入れて保持、演算、伝達等の処理を行う装置である。
【０００９】
メータ３は、電力機器の状態を示す測定値を示す表示器である。メータ３は、扉２、つまり筐体１の正面に取り付けられている。メータ３は、アナログメータ３１、電力量メータ３２（図６参照）を含む。アナログメータ３１は、測定値の大小に応じて角度を変える指示針が、目盛りにおける測定値に対応する位置を指すことによって、測定値を表示する。アナログメータ３１は、電流を測定する電流計３１ａ、電圧を測定する電圧計３１ｂを含む。電力量メータ３２は、図６に示すように、電力量を積算して表示する円盤型電力量計である。電力量の表示は、例えば、桁ごとに回動する文字盤の数字で行う。この文字盤の数字が示す指示値をカウント値と呼ぶ。
【００１０】
ネームプレート４は、メータ３を識別する識別標識である。ネームプレート４は、扉２、つまり筐体１の正面に取り付けられている。本実施形態では、ネームプレート４は、例えば、「高圧配電盤５２Ｆ０８（×××棟）」のように、メータ３を識別するとともに、そのメータ３が取り付けられた盤を識別する機能を有する。
【００１１】
なお、監視盤Ｓの状況によっては、電源設備の状態を示す表示が付されている場合がある。例えば、筐体１の正面にサインボード５が貼り付けられている場合がある。このサインボード５は、例えば、「点検中」などの盤や系統の状態を示している。点検中の場合、メータ３の測定値はゼロとなる。
【００１２】
［構成］
本実施形態の監視装置１００の構成を、図１及び図２を参照して説明する。監視装置１００は、コンピュータとしてのタブレット端末やスマートフォン等の持ち運び可能な情報端末を、プログラムで制御することで実現できる。この場合のハードウェアやプログラムの実現態様は各種変更可能である。
【００１３】
また、本実施形態は、上記のようなプログラム、そのようなプログラムを記録したコンピュータ読取可能な記憶媒体としても把握できる。以下、本実施形態の各機能をブロックで図示した仮想的ブロック図である図２を用いて説明する。
【００１４】
監視装置１００は、送受信部１０、撮像部１１、音声出力部１２、表示部１３、入力部１４を有する。送受信部１０は、図示しないネットワークを介して、情報を送受信する処理部である。
【００１５】
撮像部１１は、電源設備である監視盤Ｓに設けられたメータ３、識別標識であるネームプレート４を撮像する。また、撮像部１１は、電源設備の状態を示す表示であるサインボード５を撮像する。撮像部１１は、レンズ等の光学部、ＣＭＯＳやＣＣＤ等の受光素子であるイメージセンサ等を有するカメラである。本実施形態は、以下に述べるように、撮像部１１により撮像したライブビュー画像を用いる。
【００１６】
ライブビュー画像とは、イメージセンサが受光した光を変換した電気信号を、後述する表示部１３にリアルタイムで表示する画像データである。この画像データは、ＤＲＡＭ等の揮発性メモリに一時的に保持され、イメージプロセッサにより画像処理される画像データも含む。
【００１７】
ライブビュー画像は、逐次上書きされ、プログラムを終了させる、電源を切る等の処理により消失する。なお、ライブビュー画像ではなく、カメラのシャッターを切る処理等により、不揮発性メモリに記憶される画像データを使用することもできる。
【００１８】
音声出力部１２は、作業者が聴取する音声を出力するヘッドホン、イヤホン、スピーカ等の出力装置である。本実施形態においては、警報となる音声を出力する。表示部１３は、ユーザが視覚的に認識する画像を表示するディスプレイ等の出力装置である。本実施形態においては、表示部１３は、撮像された画像の他、後述する登録表示、帳票、警報表示、区別表示、漏れ表示等を表示する。
【００１９】
入力部１４は、ユーザが、本実施形態の処理、操作に必要な情報を入力する入力装置である。この入力部１４は、表示部１３に構成されたタッチパネル、監視装置１００の本体に構成されたスイッチ、有線又は無線により接続されたマウスやキーボードを含む。さらに、マイクと音声認識部を備えた音声入力装置も、入力部１４に含まれる。つまり、本実施形態は、音声による操作も可能である。
【００２０】
また、監視装置１００は、記憶部１５、解析部１６、識別情報読取部１７、メータ読取部１８、帳票作成部１９、電力量算出部２０、停止判定部２１、漏れ判定部２２、妥当性判定部２３、警報出力部２４、表示制御部２５、登録部２６を有する。
【００２１】
記憶部１５は、監視装置１００の処理に必要な各種の情報を記憶する。識別情報、メータの指示値、電力量、後述する帳票、しきい値、各種の画面インタフェースは、記憶部１５に記憶される情報に含まれる。
【００２２】
解析部１６は、撮像部１１により撮像された画像を解析する処理部である。解析部１６は、例えば、ライブビュー画像から、メータ３、ネームプレート４、サインボード５の領域を抽出する。外形や特徴部分の境界抽出等の手法は、公知の技術を適用可能である。また、解析部１６は、撮像対象の本来の外形と、撮像して表示された画面上での歪みを演算し、正面から撮像された状態に修正する。なお、正面からのように、良好な読み取りが可能な角度から撮像されない限り、読み取り処理に移行しない設定としてもよい。例えば、歪みの範囲がしきい値以内となっていなければ、読取処理に移行しない設定とすることができる。
【００２３】
識別情報読取部１７は、撮像部１１により撮像された識別標識の識別情報を読み取る。識別情報読取部１７は、例えば、ネームプレート４の領域から、文字を認識することにより、盤・系統名称を検出する。
【００２４】
メータ読取部１８は、撮像部１１により撮像されたメータの指示値を読み取る。メータ読取部１８は、レンジ判定部１８ａ、角度判定部１８ｂ、算出部１８ｃを有する。レンジ判定部１８ａは、アナログメータのレンジを判定する。角度判定部１８ｂは、アナログメータの指示針の角度を判定する。算出部１８ｃは、レンジと指示針の角度とに基づいて、指示針が指す指示値を算出する。
【００２５】
帳票作成部１９は、メータ読取部１８が読み取った指示値と、識別情報とを紐付けた帳票を作成する。
【００２６】
電力量算出部２０は、撮像部１１により撮像された電力量メータ３２のカウント値及び単位を読み取り、記憶部１５に記憶する。そして、電力量算出部２０は、記憶部１５に記憶されたカウント値と、撮像部１１により撮像された電力量メータ３２のカウント値とに基づいて、電力量を算出する。電力量は、読み取った単位により換算する。
【００２７】
停止判定部２１は、撮像部１１により撮像された電源設備の状態を示す表示に基づいて、停止中を判定する。この停止判定は、例えば、撮像部１１が撮像したサインボード５の文字を認識することにより行う。
【００２８】
漏れ判定部２２は、あらかじめ登録された識別情報に基づいて、撮像部１１による撮像漏れを判定する。例えば、特定のメータ名称に対応する測定値が読み取られていない場合には、撮像漏れがあったと判定する。
【００２９】
妥当性判定部２３は、メータ３の指示値が、あらかじめ設定されたしきい値を逸脱しているか否かを判定する。なお、しきい値としては、記憶部１５に記憶された履歴の指示値を用いることもできる。警報出力部２４は、妥当性判定部２３により、しきい値を逸脱していると判定された場合に、警報を出力する。
【００３０】
表示制御部２５は、表示部１３に表示させる情報を制御する処理部である。この情報は、撮像された画像、帳票、区別表示、漏れ表示、警報表示、登録画面、さらに、記憶部１５に記憶された各種の情報を含む。この表示制御部２５によって、表示部１３は各情報の表示部として機能する。
【００３１】
登録部２６は、複数種類の識別情報を階層的に登録する。例えば、建物名称、電気室名称、盤名称、メータ名称のように階層化された複数の識別情報を登録する。なお、上記の各部の処理の詳細は、以下の監視作業において説明する。
【００３２】
［登録処理］
次に、監視装置１００に、あらかじめ監視対象の識別情報を登録する処理を、図３の登録画面例を参照して説明する。この登録は、表示制御部２５が表示部１３に表示した登録画面から、入力部１４を用いて入力した情報を、登録部２６が記憶部１５に記憶することにより行う。
【００３３】
(1)建物名称の登録
建物名称のテキストボックスに、建物の名称を記載する。複数の建物がある場合、追加ボタンを選択して、テキストボックスの欄を下に新規に表示させ、次の建物の名称を記載する。このようにして建物名称を必要数まで登録する。
【００３４】
(2)電気室名称の登録
電気室名称のテキストボックスに、電気室の名称を記載する。複数の電気室がある場合、追加ボタンを選択してテキストボックスの欄を下に新規に表示させ、次の電気室の名称を記載する。このようにして電気室名称を必要数まで登録する。
【００３５】
(3)電気室と建物の紐付け
登録した建物名称と電気室名称とを紐付け、電気室がどの建物内にあるのかを関係付ける。これは、電気室名称のテキストボックスの隣の「建物名称を選んでください」の欄における横のボタンを選択すると、登録された建物名称がプルダウンメニューで表示されるので、そのいずれかを選択することにより行う。
【００３６】
(4)盤名称の登録
盤名称のテキストボックスに、制御盤Ｓの盤名称を記載する。複数の制御盤Ｓがある場合、追加ボタンを選択してテキストボックスの欄を下に新規に表示させ、次の制御盤Ｓの名称を記載する。このようにして盤名称を必要数まで登録する。
【００３７】
(5)盤と電気室の紐付け
登録した電気室名称と盤名称とを紐付け、制御盤Ｓがどの電気室内にあるのかを関係付ける。これは、盤名称のテキストボックスの隣の「電気室名称を選んでください」の欄における横のボタンを選択すると、登録された電気室名称がプルダウンメニューで表示されるので、そのいずれかを選択することにより行う。
【００３８】
(6)系統名称の登録
系統名称のテキストボックスに、系統の名称を記載する。系統は、制御盤Ｓが管理する電力消費機器である。複数の系統がある場合、追加ボタンを選択してテキストボックスの欄を下に新規に表示させ、次の系統の名称を記載する。このようにして系統名称を必要数まで登録する。
【００３９】
(7)系統と盤との紐付け
登録した盤名称と系統名称とを紐付け、系統がどの盤で管理されているのかを関係付ける。これは、系統名称のテキストボックスの隣の「盤名称を選んでください」の欄における横のボタンを選択すると、登録された盤名称がプルダウンメニューで表示されるので、そのいずれかを選択することにより行う。
【００４０】
(8)メータ名称の登録
メータ名称のテキストボックスに、メータの名称を記載する。複数のメータがある場合、追加ボタンを選択してテキストボックスの欄を下に新規に表示させ、次のメータの名称を記載する。このようにしてメータ名称を必要数まで登録する。
【００４１】
(9)メータと系統との紐付け
登録した系統名称とメータ名称とを紐付け、メータがどの系統を管理しているのかを関係付ける。これは、メータ名称のテキストボックスの隣の「系統名称を選んでください」の欄における横のボタンを選択すると、登録された系統名称がプルダウンメニューで表示されるので、そのいずれかを選択することにより行う。
【００４２】
(10)単位を選ぶ 
「単位を選んでください」の欄のボタンを選択すると、Ａ、Ｖ、Ｗ、Ｈｚ、Ｖａｒ、ｋＷｈなど標準的な単位がプルダウンメニューで表示されるので、そのいずれかを選択することにより行う。
【００４３】
(11)ポイント種別を選ぶ
「ポイント種別を選んでください」の欄のボタンを選択すると、電流、電圧、電力、周波数、無効電力、電力量など、標準的な単位の種類であるポイント種別がプルダウンメニューで表示されるので、そのいずれかを選択することにより行う。
【００４４】
(12)レンジの上限、下限を設定する
レンジの下限値、上限値の欄に、メータのレンジの下限値、上限値を入力する。ボタンを選択すると、標準的な数値がプルダウンメニューで表示されるので、そのいずれかを選択することにより行う。
【００４５】
(13)妥当性監視のしきい値の上限、下限を設定する。
妥当性の下限値、上限値の欄に、妥当性判定の下限値、上限値を入力する。ボタンを選択すると、標準的な数値がプルダウンメニューで表示されるので、そのいずれかを選択することにより行う。
【００４６】
以上のように、登複数種類の識別情報が階層的に登録される。このように登録された識別情報に基づいて、以下の監視作業を行う。
【００４７】
［監視作業］
本実施形態の監視装置１００を使用して、作業者が監視盤Ｓを監視する作業を、図１〜図３に加えて、図４のフローチャート、図５、図６の説明図を参照して説明する。
【００４８】
まず、作業員が監視装置１００を持ち、図１に示すように、撮像部１１の視野範囲にメータ３及びネームプレート４が入り、これらがライブビュー画像に表示されるように、監視盤Ｓの正面に撮像部１１を向けることにより撮像する（ステップＳ１０１）。なお、サインボード５が貼り付けてある場合には、そのサインボード５も視野に入るように撮像する。撮像は、対象となる建物の電気室における全てのメータ３に対して連続して行う。
【００４９】
そして、登録されている建物数及び登録されている電気室数だけ処理を繰り返すループに入る（ステップＳ１０２、Ｓ１０３）。識別情報読取部１７は、撮像された画像に基づいて、サインボード５の領域から文字を認識することにより、識別情報を検出する（ステップＳ１０４）。例えば、図１の例では、「高圧配電盤５２Ｆ０８（×××棟）」であることを検出する。
【００５０】
メータ読取部１８は、撮像された画像に基づいて、メータ３の指示値を読み取ることにより、測定値を検出する（ステップＳ１０５）。この検出は、以下のように行う。まず、解析部１６により、メータ３の外枠の四角形又はメータ３の表示部分の円形について、本来の外形と撮像部１１により撮像した表示上での歪みを演算し、正面から撮像した状態に修正されているものとする。以下、電流メータ３１の測定値の検出例を、図５を参照して説明する。
【００５１】
レンジ判定部１８ａは、メータ３の目盛り部分を読み込み、目盛りの最大値及び最小値をレンジとして検出する。ここで、最大値及び最小値は、目盛りの角度の最大値及び最小値、目盛りの数値の最大値及び最小値を含む。角度は、目盛りに描かれた円の中心から、鉛直方向に下した線を基準とする。数値については、単位も読み取る。例えば、電流メータ３１であれば、アンペア（Ａ）を読み取る。また、角度判定部１８ｂは、指示針の角度を判定する。そして、算出部１８ｃは、レンジと指示針の角度とに基づいて、指示針が指す指示値を算出する。
【００５２】
このような指示値の具体的な算出例を説明する。まず、図５に示すように、電流メータ３１の目盛りの角度範囲は４５°〜３１５°、目盛りの数値範囲は０〜２００である。また、指示針の角度が１５０°であるとする。すると、α＝４５°／３６０°、β＝３１５°／３６０°、γ＝１５０°／３６０°、ａ＝０［Ａ］、ｂ＝２００［Ａ］となり、以下の式によって、指示針の指示値ＩＮＤ＝７７［Ａ］を求めることができる。
【００５３】
ＩＮＤ＝｛（γ―α）／（β―α）｝×（ｂ−ａ）  式（１）
【００５４】
なお、図６に示すように、撮像部１１が電力量メータ３２を撮像した場合、電力量算出部２０は、電力量メータ３２のカウント値及び換算単位を読み取り、読み取り時刻を示すタイムスタンプを付して記憶部１５に記憶する。図６の例では、２１５４．１のカウント値と、×１０ｋｗｈの乗率及び単位を読み取る。そして、記憶部１５に記憶された同一電力量メータ３２の過去のカウント値と、現在読み取ったカウント値との差分を求め、乗率及び単位により換算することにより、電力の使用量を算出する。例えば、前回のカウント値と今回のカウント値の差分とタイムスタンプから、以下の式により、６０分間隔での電力の使用量を演算する。
【００５５】
電力使用量＝（Δカウント値（今回カウント値−前回カウント値）/Δ時間（前回計測時刻（分）−今回計測時刻（分）））×６０
【００５６】
停止判定部２１は、撮像部１１により撮像された画像から、サインボード５の有無を検出する。サインボード５がある場合には、停止中、メンテナンス中等の文字を認識する（ステップＳ１０６）。
【００５７】
帳票作成部１９は、上記のように読み取った識別情報、検出した値を紐付けて、帳票を作成する（ステップＳ１０７）。例えば、検出した数値を、XX盤のYY系統のZZメータといった階層化された帳票を作成する。また、あらかじめ登録された情報から、建屋や電気室名も紐づける。
【００５８】
妥当性判定部２３は、検出した数値が、あらかじめ設定されたしきい値を逸脱しているか否かを判定する（ステップＳ１０８）。しきい値は、上限値及び下限値に対して、パーセンテージで示す場合と絶対値で示す場合を選択して登録してもよい。例えば、０〜１００Ａの電流メータ３１の場合、パーセンテージが２％と設定すると、２Ａから９８Ａが妥当性のある値であり、絶対値で５Ａと設定すれば、５Ａから９５Ａが妥当な値となる。また、上限値及び下限値をそれぞれ個別に設定してもよい。
【００５９】
しきい値からの逸脱がなく（ステップＳ１０８のＹＥＳ）、正常値である場合には、そのまま記憶部１５に記憶する（ステップＳ１０９）。あらかじめ設定されたしきい値を逸脱しているが（ステップＳ１０８のＮО）、サインボード５が存在し、停止中又はメンテナンス中であることが判明している場合には（ステップＳ１１０のＹＥＳ）、当該データにメンテナンス中であることを示す表示を付加する（ステップＳ１１１）。
【００６０】
また、サインボード５が存在しない場合には（ステップＳ１１０のＮО）、異常値であるとして、警報出力部２４が警報を出力する（ステップＳ１１２）。警報は、表示制御部２５により表示部１３に、データに異常値であることを知らせる表示をさせる。また、音声出力部１２に、異常値を知らせる音声を出力させる。
【００６１】
帳票作成部１９は、上記のデータを帳票として記憶部１５に保存する（ステップＳ１１３）。帳票は、監視画面として表示部１３に表示される（ステップＳ１１４）。なお、既に表示部１３に表示されている内容は、逐次更新される。
【００６２】
各データは、撮像して検出した年月日時分（yyyy/mm/dd hh:mm:）の順で、以下のように保存、表示する。ソートや検索を、表計算ソフトのような汎用のアプリケーションソフトで行うことができるようにしてもよい。
yyyy/mm/dd hh:mm:s1  A棟 3階電気室2  一般動力No.1  空調機A  12A  （電流）
yyyy/mm/dd hh:mm:s5  A棟 3階電気室2  一般動力No.1  空調機 B  8A  （電流）
yyyy/mm/dd hh:mm:s9  A棟 3階電気室2  一般電灯No.1  事務照明 A  メンテ中  （電流）
yyyy/mm/dd hh:mm:ss  A棟 3階電気室2  一般電灯No.1  共用照明A  8A異常  （電流）
【００６３】
なお、漏れ判定部２２が、所定期間保存されなかったメータ３の情報に対して、表示制御部２５により表示部１３が、帳票上で別色で表示するなど、注意を促す漏れ表示を行う。作業者が、入力部１４により巡回終了などのトリガとなる表示を選択した場合に、この漏れ判定を行い、警報出力部２４が表示部１３や音声出力部１２に警報を発するように指示してもよい。
【００６４】
また、設備の停止や点検・メンテナンスによって正常な数値を得られない場合、巡回終了時に、データの認識不足によって保存ができなかった事象と区別する必要がある。この判断材料として、上記のようなサインボードを認識することで、この系統のメータ認識を止め、アスタリスク等の特定の区別表示を入れて保存してもよい。
【００６５】
さらに、登録されたメータ数を網羅しているかを判定し（ステップＳ１１５）、電気室内の全メータ３を読み取っていない場合には（ステップＳ１１６のＮО）、次のメータ３についてステップＳ１０４の処理に戻る。電気室内の全メータ３を読み取った場合には（ステップＳ１１６のＹＥＳ）、登録された電気室数を網羅しているかを判定し（ステップＳ１１７）、建物内の全電気室を網羅していない場合には（ステップＳ１１８のＮО）、次の電気室についてステップＳ１０３の処理に戻る。
【００６６】
建物内の全電気室を網羅した場合には（ステップＳ１１８のＹＥＳ）、登録された建物数を網羅しているか判定し（ステップＳ１１９）、全ての建物を網羅していない場合には（ステップＳ１２０のＮО）、次の建物についてステップＳ１０２の処理に戻る。全てのメータ３、全ての電気室、全ての建物を網羅した場合には（ステップＳ１１６のＹＥＳ、Ｓ１１８のＹＥＳ、Ｓ１２０のＹＥＳ）、処理を終了する。
【００６７】
収集したデータは、帳票として利用する他に、グラフ化して表示することも可能である。記憶部１５に記憶されたデータの履歴は、トレンドの分析などに使用することもできる。さらに、送受信部１０によってデータを、サーバや他の情報端末と共有化することにより、電源設備の運用、管理を行うこともできる。
【００６８】
［作用効果］
（１）本実施形態は、持ち運び可能な情報端末であって、電源設備に設けられたメータ及び識別標識を撮像する撮像部１１と、撮像部１１により撮像されたメータ３の指示値を読み取るメータ読取部１８と、撮像部１１により撮像された識別標識の識別情報を読み取る識別情報読取部１７と、指示値及び識別情報を紐付けた帳票を作成する帳票作成部１９と、帳票を記憶する記憶部１５と、帳票を表示する表示部１３とを有する。
【００６９】
このため、作業員がメータの指示値を見て逐次記録するのではなく、持ち運びできる情報端末によって撮像することにより、指示値を読み取って帳票として記憶させることができるので、作業員の監視業務の負担を軽減できる。また、大規模な監視制御システムを導入する必要がなく、コストも低減することができる。さらに、監視装置１００によって、多数のメータを連続的に撮像することにより、多数のメータの指示値を連続的に読み取って帳票が作成されるので、巡回する順番も意識する必要がない。
【００７０】
（２）メータ読取部１８は、アナログメータのレンジを判定するレンジ判定部１８ａと、アナログメータの指示針の角度を判定する角度判定部１８ｂと、レンジと指示針の角度とに基づいて、指示針が指す指示値を算出する算出部１８ｃとを有する。
【００７１】
このため、アナログメータの指示値を数値化して、帳票として保存することができるので、作業員が目視で読み取って入力する労力が大幅に軽減される。
【００７２】
（３）メータ３の過去の指示値を記憶する記憶部１５と、記憶部１５に記憶された指示値と、撮像部１１により撮像されたメータ３の指示値とに基づいて、電力量を算出する電力量算出部とを有する。
【００７３】
このため、メータ３の指示値を読み取ることによって、電力の使用量も算出することができるので、作業効率の向上を図ることができる。
【００７４】
（４）撮像部１１により撮像された電源設備の状態を示す表示に基づいて、停止中を判定する停止判定部２１と、停止判定部２１により停止中と判定された場合に、表示部１３に表示させる帳票の該当するメータ３の欄に、他の欄と区別した表示する表示部１３とを有する。
【００７５】
このため、遮断器の停止、点検、メンテナンス中等の何等かの事情により、測定対象外となった設備を認識して、数値の保存対象から除外することができる。除外した欄について、アスタリスク等の記号や文字を入力して区別表示させることにより、撮像漏れでないことを明示することにより、作業員に認識させることができる。
【００７６】
（５）指示値が、あらかじめ設定されたしきい値を逸脱しているか否かを判定する妥当性判定部２３と、妥当性判定部２３により、しきい値を逸脱していると判定された場合に、警報を出力する警報出力部２４とを有する。このため、作業員が異常を認識して、早期に対応することができる。
【００７７】
（６）複数種類の識別情報を階層的に登録する登録部２６を有する。このため、建物、電気室等の単位ごとに監視対象を網羅することができる。
【００７８】
（７）あらかじめ登録された識別情報に基づいて、撮像部１１による撮像漏れを判定する漏れ判定部２２と、漏れ判定部２２により撮像漏れと判定されたメータ３を示す情報を表示する表示部１３を有する。このため、撮像漏れがあったことを作業員が知ることができ、再度撮像する等の対応が可能となる。
【００７９】
［他の実施形態］
本実施形態は、上記のような態様には限定されない。
（１）指示値を読み取るメータは、アナログメータであっても、デジタルメータであってもよい。アナログメータの場合、上記は、目盛りの間隔が均等なメータの例であったが、対数メータのように、目盛りの間隔が均等でない場合にも読み取り可能である。つまり、レンジ判定部１８ａは、目盛りを複数の領域に区分して、各区分における最小値、最大値及びそれぞれの角度を判定する。そして、角度判定部１８ｂが判定する指示針の角度によって、指示針がどの区分に入っているかがわかり、その角度とその区分の最小値、最大値に基づいて、上記の式（１）により、指示値を求めることができる。
【００８０】
（２）電源設備の状態を示す表示は、パイロットランプであってもよい。撮像部がパイロットランプを撮像し、停止判定部は、パイロットランプが点灯している場合には動作中、点灯していない場合には停止中と判定することができる。
【００８１】
（３）本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８２】
１  筐体
２  扉
３  メータ
３１  アナログメータ
３１ａ  電流メータ
３１ｂ  電圧メータ
３２  電力量メータ
４  ネームプレート
５  サインボード
１１  撮像部
１２  音声出力部
１３  表示部
１４  入力部
１５  記憶部
１６  解析部
１７  識別情報読取部
１８  メータ読取部
１８ａ  レンジ判定部
１８ｂ  角度判定部
１８ｃ  算出部
１９  帳票作成部
２０  電力量算出部
２１  停止判定部
２２  漏れ判定部
２３  妥当性判定部
２４  警報出力部
２５  表示制御部
２６  登録部
１００  監視装置
Ｓ  監視盤
【図１】
2018045655.tif 000003
【図２】
2018045655.tif 000004
【図３】
2018045655.tif 000005
【図４】
2018045655.tif 000006
【図５】
2018045655.tif 000007
【図６】
2018045655.tif 000008